(57)【要約】  【課題】  最新の電話帳データを電話機に配信する際に使用中の電話機の作業を中断させてしまう虞がある。  【解決手段】  複数の漢字電話機２Ｂを収容接続するＰＢＸ５であって、電話帳データを記憶する電話帳記憶部４４と、漢字電話機の使用状態を監視する通信監視部３３と、監視結果に基づき、漢字電話機毎に、使用状態が未使用中であるか否かを判定する使用状態判定部３４Ａと、漢字電話機の使用状態が未使用中であると判定されると、未使用中の漢字電話機に対して、データ配信部３１Ｂを通じて記憶中の電話帳データを配信する制御部３４とを有するようにした。【選択図】  図４
2006067312.tif 000002
【特許請求の範囲】
【請求項１】
複数の電話機を収容接続する構内交換機であって、
電話帳データを記憶する記憶手段と、
前記電話機の使用状態を監視する監視手段と、
前記監視手段の監視結果に基づき、前記電話機毎に、前記使用状態が未使用中であるか否かを判定する使用状態判定手段と、
前記使用状態判定手段にて前記電話機の使用状態が未使用中であると判定されると、前記未使用中の電話機に対して、前記記憶手段に記憶中の前記電話帳データを配信する配信手段とを有することを特徴とする構内交換機。
【請求項２】
前記使用状態判定手段は、
配信開始信号を検出すると、前記電話機の前記使用状態が未使用中であるか否かを判定する判定動作を開始することを特徴とする請求項１記載の構内交換機。
【請求項３】
配信時刻を記憶する配信時刻記憶手段と、
現在時刻が前記配信時刻記憶手段に記憶中の前記配信時刻に到達すると、前記配信開始信号を出力する配信開始信号出力手段とを有することを特徴とする請求項２記載の構内交換機。
【請求項４】
前記記憶手段は、
前記複数の電話機をグループ単位で管理し、前記グループ毎に前記電話帳データを記憶し、
前記使用状態判定手段は、
前記グループ毎の電話機に対して、前記電話機の使用状態が未使用中であるか否かを判定し、
前記配信手段は、
前記使用状態判定手段にて前記電話機の使用状態が未使用中であると判定されると、前記未使用中の電話機に対して、同電話機のグループに対応した、前記記憶手段に記憶中の前記電話帳データを配信することを特徴とする請求項1記載の構内交換機。
【請求項５】
前記グループ毎に配信時刻を記憶するグループ配信時刻記憶手段と、
現在時刻が前記グループ配信時刻記憶手段に記憶中の前記グループの配信時刻に到達すると、配信開始信号を出力する配信開始信号出力手段とを有し、
前記使用状態判定手段は、
前記配信開始信号を検出すると、前記配信時刻が到達した前記グループ内の電話機の使用状態が未使用中であるか否かを判定する判定動作を開始することを特徴とする請求項４記載の構内交換機。
【請求項６】
前記使用状態判定手段にて前記電話機の前記使用状態が未使用中でないと判定されると、同未使用中でないと判定された前記電話機を識別する識別番号を記憶する未配信記憶手段を有し、
前記配信手段は、
前記未配信記憶手段に記憶中の識別番号に関わる電話機に対して、同電話機に対応する電話帳データを配信することを特徴とする請求項１、２、３、４又は５記載の構内交換機。
【請求項７】
複数の電話機と、前記複数の電話機を収容接続する構内交換機とを有する構内交換システムであって、
前記構内交換機は、
電話帳データを記憶する記憶手段と、
前記電話機の使用状態を監視する監視手段と、
前記監視手段の監視結果に基づき、前記電話機毎に、前記使用状態が未使用中であるか否かを判定する使用状態判定手段と、
前記使用状態判定手段にて前記電話機の使用状態が未使用中であると判定されると、前記未使用中の電話機に対して、前記記憶手段に記憶中の前記電話帳データを配信する配信手段とを有することを特徴とする構内交換システム。
【請求項８】
前記使用状態判定手段は、
配信開始信号を検出すると、前記電話機の前記使用状態が未使用中であるか否かを判定する判定動作を開始することを特徴とする請求項７記載の構内交換システム。
【請求項９】
配信時刻を記憶する配信時刻記憶手段と、
現在時刻が前記配信時刻記憶手段に記憶中の前記配信時刻に到達すると、前記配信開始信号を出力する配信開始信号出力手段とを有することを特徴とする請求項８記載の構内交換システム。
【請求項１０】
前記記憶手段は、
前記複数の電話機をグループ単位で管理し、前記グループ毎に前記電話帳データを記憶し、
前記使用状態判定手段は、
前記グループ毎の電話機に対して、前記電話機の使用状態が未使用中であるか否かを判定し、
前記配信手段は、
前記使用状態判定手段にて前記電話機の使用状態が未使用中であると判定されると、前記未使用中の電話機に対して、同電話機のグループに対応した、前記記憶手段に記憶中の前記電話帳データを配信することを特徴とする請求項７記載の構内交換システム。
【請求項１１】
前記グループ毎に配信時刻を記憶するグループ配信時刻記憶手段と、
現在時刻が前記グループ配信時刻記憶手段に記憶中の前記グループの配信時刻に到達すると、配信開始信号を出力する配信開始信号出力手段とを有し、
前記使用状態判定手段は、
前記配信開始信号を検出すると、前記配信時刻が到達した前記グループ内の電話機の使用状態が未使用中であるか否かを判定する判定動作を開始することを特徴とする請求項１０記載の構内交換システム。
【請求項１２】
前記使用状態判定手段にて前記電話機の前記使用状態が未使用中でないと判定されると、同未使用中でないと判定された前記電話機を識別する識別番号を記憶する未配信記憶手段を有し、
前記配信手段は、
前記未配信記憶手段に記憶中の識別番号に関わる電話機に対して、同電話機に対応する電話帳データを配信することを特徴とする請求項７，８，９，１０又は１１記載の構内交換システム。
【請求項１３】
前記構内交換機と接続する設定端末装置を有し、
前記設定端末装置は、
前記電話帳データを作成する電話帳データ作成手段と、
前記電話帳データ作成手段にて作成した電話帳データを前記構内交換機に伝送する電話帳データ伝送手段とを有し、
前記構内交換機は、
前記電話帳データ伝送手段からの前記電話帳データを受信すると、前記電話帳データを前記記憶手段に記憶更新する記憶更新手段を有することを特徴とする請求項７，８，９，１０，１１又は１２記載の構内交換システム。
【請求項１４】
構内交換機側で記憶管理する電話帳データを電話機に配信する電話帳データ配信方法であって、
前記構内交換機側に前記電話帳データを記憶するステップと、
前記電話機の使用状態を監視するステップと、
前記監視結果に基づき、前記電話機毎に、前記使用状態が未使用中であるか否かを判定するステップと、
前記電話機の使用状態が未使用中であると判定されると、前記未使用中の電話機に対して、前記記憶中の電話帳データを配信するステップとを有することを特徴とする電話帳データ配信方法。
【請求項１５】
現在時刻が所定の配信時刻に到達すると、前記監視結果に基づき、前記電話機毎に、前記使用状態が未使用中であるか否かを判定するステップを開始することを特徴とする請求項１４記載の電話帳データ配信方法。
【請求項１６】
構内交換機側で記憶管理する電話帳データを複数の電話機に配信する電話帳データ配信方法であって、
前記構内交換機側に、複数の電話機をグループ単位で管理し、前記グループ毎に前記電話帳データを記憶するステップと、
前記電話機の使用状態を監視するステップと、
前記監視結果に基づき、前記グループ毎の電話機毎に、前記電話帳の使用状態が未使用中であるか否かを判定するステップと、
前記電話機の使用状態が未使用中であると判定されると、前記未使用中の電話機に対して、同電話機のグループに対応した、前記記憶中の前記電話帳データを配信するステップとを有することを特徴とする電話帳データ配信方法。
【請求項１７】
現在時刻がグループの配信時刻に到達すると、前記監視結果に基づき、前記グループ内の電話機毎に、前記電話機の使用状態が未使用中であるか否かを判定するステップを開始することを特徴とする請求項１６記載の電話帳データ配信方法。
【発明の詳細な説明】
【技術分野】
【０００１】
本発明は、複数の電話機を収容接続し、相手先の名称及び電話番号を対応付けて記憶管理する電話帳データを各電話機に配信する機能を備えた構内交換機、構内交換システム及び電話帳データ配信方法に関する。
【背景技術】
【０００２】
従来、このような電話帳データを配信するシステムとしては、無線通信機能を備えた複数の電子電話帳と、これら複数の電子電話帳をグループ単位で管理し、これら電子電話帳と無線接続するセンター装置とを有し、センター装置は、電話帳データを記憶管理しておき、グループ内の電子電話帳からのダウンロード要求を検出すると、同記憶中の最新の電話帳データをグループ内の全電子電話帳にダウンロードするようにしたものが知られている（例えば特許文献１参照）。
【０００３】
このような従来のシステムによれば、センター装置に電話帳データを記憶管理しておき、電子電話帳からのダウンロード要求を検出すると、同グループの全電子電話帳に対して同記憶中の電話帳データを配信するようにしたので、各電子電話帳のユーザは、煩雑な操作を伴うことなく、センター装置から最新の電話帳データを取得することができる。
【特許文献１】特開平７−２７４２５３号公報(図１及び要約書参照)
【発明の開示】
【発明が解決しようとする課題】
【０００４】
しかしながら、上記従来技術によれば、電子電話帳からのダウンロード要求を検出すると、センター装置に記憶管理している最新の電話帳データを電子電話帳に配信するようにしたが、例えば電子電話帳のユーザがダウンロード要求を忘れてしまった場合、電子電話帳のユーザは、最新の電話帳データを取得することができない。
【０００５】
また、上記従来技術によれば、グループ内の１台の電子電話帳からのダウンロード要求を検出すると、同グループ内の電子電話帳が使用中であるか否かに関わらず、同使用中の電子電話帳に対しても最新の電話帳データが配信されてしまうため、同電話帳データの配信動作によって使用中の電子電話帳の作業が中断されてしまう。
【０００６】
また、上記従来技術によれば、電話帳データを電子電話帳に配信する技術について開示されているものの、電話帳データを電話機に配信する技術については何等提案されていないのが実情である。
【０００７】
本発明は上記点に鑑みてなされたものであり、その目的とするところは、使用中の電話機の作業を中断させることなく、自動的に最新の電話帳データを電話機に提供することができる構内交換機、構内交換システム及び電話帳データ配信方法を提供することにある。
【課題を解決するための手段】
【０００８】
上記目的を達成するために本発明の構内交換機は、複数の電話機を収容接続する構内交換機であって、電話帳データを記憶する記憶手段と、前記電話機の使用状態を監視する監視手段と、前記監視手段の監視結果に基づき、前記電話機毎に、前記使用状態が未使用中であるか否かを判定する使用状態判定手段と、前記使用状態判定手段にて前記電話機の使用状態が未使用中であると判定されると、前記未使用中の電話機に対して、前記記憶手段に記憶中の前記電話帳データを配信する配信手段とを有するようにした。
【０００９】
また、本発明の構内交換システムは、複数の電話機と、前記複数の電話機を収容接続する構内交換機とを有する構内交換システムであって、前記構内交換機は、電話帳データを記憶する記憶手段と、前記電話機の使用状態を監視する監視手段と、前記監視手段の監視結果に基づき、前記電話機毎に、前記使用状態が未使用中であるか否かを判定する使用状態判定手段と、前記使用状態判定手段にて前記電話機の使用状態が未使用中であると判定されると、前記未使用中の電話機に対して、前記記憶手段に記憶中の前記電話帳データを配信する配信手段とを有するようにした。
【００１０】
本発明の電話帳データ配信方法は、構内交換機側で記憶管理する電話帳データを電話機に配信する電話帳データ配信方法であって、前記構内交換機側に前記電話帳データを記憶するステップと、前記電話機の使用状態を監視するステップと、前記監視結果に基づき、前記電話機毎に、前記使用状態が未使用中であるか否かを判定するステップと、前記電話機の使用状態が未使用中であると判定されると、前記未使用中の電話機に対して、前記記憶中の電話帳データを配信するステップとを有するようにした。
【発明の効果】
【００１１】
上記のように構成された本発明の構内交換機、構内交換システム及び電話帳データ配信方法によれば、電話帳データを予め記憶しておき、電話機毎に、同電話機の使用状態が未使用中であるか否かを判定し、電話機の使用状態が未使用中であると判定されると、この未使用中の電話機に対して、記憶中の電話帳データを配信するようにしたので、使用中の電話機の作業を中断させることなく、電話機に対して最新の電話帳データを提供することができる。
【発明を実施するための最良の形態】
【００１２】
本願請求項１記載の構内交換機は、複数の電話機を収容接続する構内交換機であって、電話帳データを記憶する記憶手段と、前記電話機の使用状態を監視する監視手段と、前記監視手段の監視結果に基づき、前記電話機毎に、前記使用状態が未使用中であるか否かを判定する使用状態判定手段と、前記使用状態判定手段にて前記電話機の使用状態が未使用中であると判定されると、前記未使用中の電話機に対して、前記記憶手段に記憶中の前記電話帳データを配信する配信手段とを有するようにした。
【００１３】
従って、本願請求項１記載の構内交換機によれば、電話帳データを予め記憶しておき、電話機毎に、同電話機の使用状態が未使用中であるか否かを判定し、電話機の使用状態が未使用中であると判定されると、この未使用中の電話機に対して、記憶中の電話帳データを配信するようにしたので、使用中の電話機の作業を中断させることなく、電話機に対して最新の電話帳データを提供することができる。
【００１４】
本願請求項２記載の構内交換機は、上記請求項１記載の構成において、前記使用状態判定手段が、配信開始信号を検出すると、前記電話機の前記使用状態が未使用中であるか否かを判定する判定動作を開始するようにした。
【００１５】
従って、本願請求項２記載の構内交換機によれば、配信開始信号を検出すると、電話機の使用状態が未使用中であるか否かを判定する判定動作を開始するようにしたので、使用中の電話機の作業を中断させることなく、配信開始信号を検出するタイミングで未使用中の電話機に対して最新の電話帳データを提供することができる。
【００１６】
本願請求項３記載の構内交換機は、上記請求項２記載の構成において、配信時刻を記憶する配信時刻記憶手段と、現在時刻が前記配信時刻記憶手段に記憶中の前記配信時刻に到達すると、前記配信開始信号を出力する配信開始信号出力手段とを有するようにした。
【００１７】
従って、本願請求項３記載の構内交換機によれば、現在時刻が配信時刻に到達すると、配信開始信号を出力するようにしたので、配信時刻を予め設定しておくことで、定期的に最新の電話帳データを電話機に提供することができる。
【００１８】
本願請求項４記載の構内交換機は、上記請求項１記載の構成において、前記記憶手段が、前記複数の電話機をグループ単位で管理し、前記グループ毎に前記電話帳データを記憶し、前記使用状態判定手段は、前記グループ毎の電話機に対して、前記電話機の使用状態が未使用中であるか否かを判定し、前記配信手段は、前記使用状態判定手段にて前記電話機の使用状態が未使用中であると判定されると、前記未使用中の電話機に対して、同電話機のグループに対応した、前記記憶手段に記憶中の前記電話帳データを配信するようにした。
【００１９】
従って、本願請求項４記載の構内交換機によれば、電話機のグループ毎に電話帳データを記憶管理しておき、同グループ内の電話機の使用状態が未使用中であるか否かを判定し、電話機の使用状態が未使用中であると判定されると、このグループ内の未使用中の電話機に対して、同グループに対応した電話帳データを配信するようにしたので、使用中の電話機の作業を中断させることなく、グループ単位で最新の電話帳データを電話機に提供することができる。
【００２０】
本願請求項５記載の構内交換機は、上記請求項４記載の構成において、前記グループ毎に配信時刻を記憶するグループ配信時刻記憶手段と、現在時刻が前記グループ配信時刻記憶手段に記憶中の前記グループの配信時刻に到達すると、配信開始信号を出力する配信開始信号出力手段とを有し、前記使用状態判定手段は、前記配信開始信号を検出すると、前記配信時刻が到達した前記グループ内の電話機の使用状態が未使用中であるか否かを判定する判定動作を開始するようにした。
【００２１】
従って、本願請求項５記載の構内交換機によれば、現在時刻がグループの配信時刻に到達すると、同グループ内の電話機の使用状態が未使用中であるか否かを判定する判定動作を開始するようにしたので、グループ毎に配信時刻を設定しておくことで、グループ単位で定期的に最新の電話帳データを電話機に提供することができる。
【００２２】
本願請求項６記載の構内交換機は、上記請求項１，２，３，４又は５記載の構成において、前記使用状態判定手段にて前記電話機の前記使用状態が未使用中でないと判定されると、同未使用中でないと判定された前記電話機を識別する識別番号を記憶する未配信記憶手段を有し、前記配信手段は、前記未配信記憶手段に記憶中の識別番号に関わる電話機に対して、同電話機に対応する電話帳データを配信するようにした。
【００２３】
従って、本願請求項６記載の構内交換機によれば、電話機の使用状態が未使用中でない、すなわち使用中であると判定されると、同使用中の電話機の識別番号を記憶管理しておき、例えば使用中の電話機が未使用状態に移行したタイミングで、識別番号に基づき同電話機に対して電話帳データを配信するようにしたので、使用中の電話機に対しては電話帳データを配信しないため、使用中の電話機に対しては電話帳データ配信による作業の中断を確実に防止することができ、さらには、使用中の電話機が未使用状態に移行したタイミングで電話帳データを配信するため、全ての電話機に対して最新の電話帳データを確実に配信することができる。
【００２４】
本願請求項７記載の構内交換システムは、複数の電話機と、前記複数の電話機を収容接続する構内交換機とを有する構内交換システムであって、前記構内交換機は、電話帳データを記憶する記憶手段と、前記電話機の使用状態を監視する監視手段と、前記監視手段の監視結果に基づき、前記電話機毎に、前記使用状態が未使用中であるか否かを判定する使用状態判定手段と、前記使用状態判定手段にて前記電話機の使用状態が未使用中であると判定されると、前記未使用中の電話機に対して、前記記憶手段に記憶中の前記電話帳データを配信する配信手段とを有するようにした。
【００２５】
従って、本願請求項７記載の構内交換システムによれば、構内交換機側に電話帳データを記憶しておき、電話機毎に同電話機の使用状態が未使用中であるか否かを判定し、同電話機の使用状態が未使用中であると判定されると、この未使用中の電話機に対して、記憶中の電話帳データを配信するようにしたので、使用中の電話機の作業を中断させることなく、電話機に対して最新の電話帳データを提供することができる。
【００２６】
本願請求項８記載の構内交換システムは、上記請求項７記載の構成において、前記使用状態判定手段が、配信開始信号を検出すると、前記電話機の前記使用状態が未使用中であるか否かを判定する判定動作を開始するようにした。
【００２７】
従って、本願請求項８記載の構内交換システムによれば、構内交換機側にて配信開始信号を検出すると、電話機の使用状態が未使用中であるか否かを判定する判定動作を開始するようにしたので、使用中の電話機の作業を中断させることなく、配信開始信号を検出するタイミングで未使用中の電話機に対して最新の電話帳データを提供することができる。
【００２８】
本願請求項９記載の構内交換システムは、上記請求項８記載の構成において、配信時刻を記憶する配信時刻記憶手段と、現在時刻が前記配信時刻記憶手段に記憶中の前記配信時刻に到達すると、前記配信開始信号を出力する配信開始信号出力手段とを有するようにした。
【００２９】
従って、本願請求項９記載の構内交換システムによれば、現在時刻が配信時刻に到達すると、配信開始信号を出力するようにしたので、配信時刻を設定しておくことで、使用中の電話機の作業を中断させることなく、定期的に最新の電話帳データを電話機に提供することができる。
【００３０】
本願請求項１０記載の構内交換システムは、上記請求項７記載の構成において、前記記憶手段が、前記複数の電話機をグループ単位で管理し、前記グループ毎に前記電話帳データを記憶し、前記使用状態判定手段は、前記グループ毎の電話機に対して、前記電話機の使用状態が未使用中であるか否かを判定し、前記配信手段は、前記使用状態判定手段にて前記電話機の使用状態が未使用中であると判定されると、前記未使用中の電話機に対して、同電話機のグループに対応した、前記記憶手段に記憶中の前記電話帳データを配信するようにした。
【００３１】
従って、本願請求項１０記載の構内交換システムによれば、電話機のグループ毎に電話帳データを構内交換機側に記憶管理しておき、グループ毎の電話機の使用状態が未使用中であるか否かを判定し、電話機の使用状態が未使用中であると判定されると、このグループ内の未使用中の電話機に対して、同グループに対応した記憶中の電話帳データを配信するようにしたので、使用中の電話機の作業を中断させることなく、グループ単位で電話機に最新の電話帳データを提供することができる。
【００３２】
本願請求項１１記載の構内交換システムは、上記請求項１０記載の構成において、前記グループ毎に配信時刻を記憶するグループ配信時刻記憶手段と、現在時刻が前記グループ配信時刻記憶手段に記憶中の前記グループの配信時刻に到達すると、配信開始信号を出力する配信開始信号出力手段とを有し、前記使用状態判定手段は、前記配信開始信号を検出すると、前記配信時刻が到達した前記グループ内の電話機の使用状態が未使用中であるか否かを判定する判定動作を開始するようにした。
【００３３】
従って、本願請求項１１記載の構内交換システムによれば、現在時刻がグループの配信時刻に到達すると、同グループ内の電話機の使用状態が未使用中であるか否かを判定する判定動作を開始するようにしたので、グループ毎に配信時刻を設定しておくことで、グループ単位で定期的に最新の電話帳データを電話機に提供することができる。
【００３４】
本願請求項１２記載の構内交換システムは、上記請求項７，８，９，１０又は１１記載の構成において、前記使用状態判定手段にて前記電話機の前記使用状態が未使用中でないと判定されると、同未使用中でないと判定された前記電話機を識別する識別番号を記憶する未配信記憶手段を有し、前記配信手段は、前記未配信記憶手段に記憶中の識別番号に関わる電話機に対して、同電話機に対応する電話帳データを配信するようにした。
【００３５】
従って、本願請求項１２記載の構内交換システムによれば、電話機の使用状態が未使用中でない、すなわち使用中であると判定されると、同電話機の識別番号を記憶管理しておき、次のタイミングで識別番号に基づき同電話機に対して電話帳データを配信するようにしたので、使用中の電話機に対しては電話帳データを配信しないため、使用中の電話機に対しては電話帳データ配信による作業の中断を確実に防止し、さらには、使用中の電話機が未使用状態に移行したタイミングで電話帳データを配信するため、全ての電話機に対して最新の電話帳データを確実に提供することができる。
【００３６】
本願請求項１３記載の構内交換システムは、上記請求項７，８，９，１０、１１又は１２記載の構成において、前記構内交換機と接続する設定端末装置を有し、前記設定端末装置は、前記電話帳データを作成する電話帳データ作成手段と、前記電話帳データ作成手段にて作成した電話帳データを前記構内交換機に伝送する電話帳データ伝送手段とを有し、前記構内交換機は、前記電話帳データ伝送手段から前記電話帳データを受信すると、前記電話帳データを前記記憶手段に記憶更新する記憶更新手段を有するようにした。
【００３７】
従って、本願請求項１３記載の構内交換システムによれば、設定端末装置にて電話帳データを作成し、この電話帳データを構内交換機に伝送し、構内交換機にて電話帳データを受信すると、この電話帳データを記憶手段に記憶更新するようにしたので、設定端末装置では、構内交換機側で記憶する電話帳データを遠隔操作で作成することができる。
【００３８】
本願請求項１４記載の電話帳データ配信方法は、構内交換機側で記憶管理する電話帳データを電話機に配信する電話帳データ配信方法であって、前記構内交換機側に前記電話帳データを記憶するステップと、前記電話機の使用状態を監視するステップと、前記監視結果に基づき、前記電話機毎に、前記使用状態が未使用中であるか否かを判定するステップと、前記電話機の使用状態が未使用中であると判定されると、前記未使用中の電話機に対して、前記記憶中の電話帳データを配信するステップとを有するようにした。
【００３９】
従って、本願請求項１４記載の電話帳データ配信方法によれば、電話帳データを記憶しておき、電話機毎に同電話機の使用状態が未使用中であるか否かを判定し、同電話機の使用状態が未使用中であると判定されると、この未使用中の電話機に対して、記憶中の電話帳データを配信するようにしたので、使用中の電話機の作業を中断させることなく、電話機に対しては最新の電話帳データを提供することができる。
【００４０】
本願請求項１５記載の電話帳データ配信方法は、上記請求項１４記載の方法において、現在時刻が所定の配信時刻に到達すると、前記監視結果に基づき、前記電話機毎に、前記使用状態が未使用中であるか否かを判定するステップを開始するようにした。
【００４１】
従って、本願請求項１５記載の電話帳データ配信方法によれば、配信開始信号を検出すると、電話機の使用状態が未使用中であるか否かを判定する判定動作を開始するようにしたので、使用中の電話機の作業を中断させることなく、配信開始信号の検出タイミングで未使用中の電話機に対して最新の電話帳データを配信することができる。
【００４２】
本願請求項１６記載の電話帳データ配信方法は、構内交換機側で記憶管理する電話帳データを複数の電話機に配信する電話帳データ配信方法であって、前記構内交換機側に、複数の電話機をグループ単位で管理し、前記グループ毎に前記電話帳データを記憶するステップと、前記電話機の使用状態を監視するステップと、前記監視結果に基づき、前記グループ毎の電話機に対して、前記電話帳の使用状態が未使用中であるか否かを判定するステップと、前記電話機の使用状態が未使用中であると判定されると、前記未使用中の電話機に対して、同電話機のグループに対応した、前記記憶中の前記電話帳データを配信するステップとを有するようにした。
【００４３】
従って、本願請求項１６記載の電話帳データ配信方法によれば、電話機のグループ毎に電話帳データを記憶管理しておき、グループ毎の電話機の使用状態が未使用中であるか否かを判定し、電話機の使用状態が未使用中であると判定されると、このグループ内の未使用中の電話機に対して、同グループに対応した電話帳データを配信するようにしたので、使用中の電話機の作業を中断させることなく、グループ単位で最新の電話帳データを電話機に提供することができる。
【００４４】
本願請求項１７記載の電話帳データ配信方法は、上記請求項１６記載の方法において、現在時刻がグループの配信時刻に到達すると、前記監視結果に基づき、前記グループ内の電話機毎に、前記電話機の使用状態が未使用中であるか否かを判定するステップを開始するようにした。
【００４５】
従って、本願請求項１７記載の電話帳データ配信方法によれば、現在時刻がグループの配信時刻に到達すると、同グループ内の電話機の使用状態が未使用中であるか否かを判定する判定動作を開始するようにしたので、グループ毎に配信時刻を設定しておくことで、グループ単位で定期的に最新の電話帳データを電話機に提供することができる。
【００４６】
(実施の形態)
以下、図面に基づいて本発明の実施の形態を示す構内交換システムについて説明する。図１は本実施の形態を示す構内交換システム全体の概略構成を示すシステム構成図である。
【００４７】
図１に示す構内交換システム１は、複数の内線電話機２と、これら複数の内線電話機２を収容接続すると共に、ＰＳＴＮ網３及びＩＰ網４と通信接続する構内交換機（以下、単にＰＢＸと称する）５と、ＰＢＸ５の設定内容を変更するパーソナルコンピュータ等の設定端末装置（以下、単にＰＣと称する）６とを有している。
【００４８】
内線電話機２は、複数の多機能電話機２Ａと、漢字を画面表示する機能を備えた漢字電話機２Ｂとを有している。尚、ＰＢＸ５では、内線電話機２をグループ単位で管理しているものとする。
【００４９】
ＰＢＸ５は、多機能電話機２Ａとの通信インタフェースを司る内線回路（以下、単にＬＩＮと称する）１１と、漢字電話機２Ｂとの通信インタフェースを司る漢字電話機用内線回路（以下、単に漢字用ＬＩＮと称する）１２と、ＰＳＴＮ網３との通信インタフェースを司るＰＳＴＮインタフェース１３と、ＩＰ網４との通信インタフェースを司るＩＰインタフェース１４と、これらＬＩＮ１１、漢字用ＬＩＮ１２、ＰＳＴＮインタフェース１３及びＩＰインタフェース１４間の通話路を形成する通話路スイッチ（以下、単にＴＳＷと称する）１５と、このＰＢＸ５全体を制御する中央制御装置１６と、データ伝送路１７とを有している。尚、中央制御装置１６は、データ伝送路１７を通じてＴＳＷ１５を制御するものである。
【００５０】
また、データ伝送路１７は、接続ポート１８を通じてシリアル回線１９と接続可能としている。
【００５１】
ＰＣ６は、シリアル回線１９、接続ポート１８及びデータ伝送路１７を通じて中央制御装置１６に接続し、この中央制御装置１６の設定内容を適宜変更することができるものである。また、ＰＣ６は、ＰＳＴＮ網３又はＩＰ網４を通じても、ＰＢＸ５内の中央制御装置１６にアクセス可能である。
【００５２】
また、ＰＣ６は、例えば漢字電話機２Ｂの電話帳データを含むダウンロードデータを作成する電話帳データ作成部２１と、このダウンロードデータをＰＢＸ５の中央制御装置１６に伝送する電話帳データ伝送部２２とを有している。
【００５３】
図２はＰＣ６からＰＢＸ５へのダウンロードデータのデータ構成を示す説明図、図３は同ダウンロードデータ内の電話帳データの一例を示す説明図である。
【００５４】
図２に示すダウンロードデータは、後述する複数の個別データを含む電話帳データを記録した電話帳データ欄５１と、同電話帳データを配信する配信対象の内線電話機２が所属するグループを識別するグループ番号を指定するグループ番号欄５２と、同グループ番号のグループ名称を示すグループコメント欄５３と、電話帳データに含まれる個別データの件数を示すデータ件数欄５４と、同電話帳データを配信する配信時刻を指定する配信時刻欄５５と、同ダウンロードデータのデータ内容を識別する識別子５７とを有している。
【００５５】
グループ番号欄５２は、配信対象の内線電話機２のグループを指定する場合、同グループ番号を指定し、配信対象の内線電話機２のグループを指定しない場合、すなわち、全内線電話機２を配信対象とする場合、“グループ未設定”を指定することになる。
【００５６】
配信時刻欄５５は、配信時刻を指定する場合、同配信時刻を指定し、配信時刻を指定しない場合、“配信時刻未設定”を指定することになる。
【００５７】
電話帳データ欄５１内には、最大ｎ件までの個別データを記録する個別データ欄５６を有し、個別データ欄５６は、相手先の電話番号を示すダイヤル番号欄５６Ａと、同相手先のグループ番号を示す電話帳内グループ番号欄５６Ｂと、同相手先の名前のデータ長を示す名前長欄５６Ｃと、同相手先の名前の読み仮名欄５６Ｄと、同相手先の名前欄５６Ｅとを有し、例えば、図３に示すように、ダイヤル番号欄５６Ａには“０１２３４５６７８９０”、名前欄５６Ｅには“松下太郎”、読み仮名欄５６Ｄには“マツシタタロウ”、電話帳内グループ欄５６Ｂには“１”が記録されていることになる。
【００５８】
図４はＰＢＸ５内部にある中央制御装置１６内部の概略構成を示すブロック図である。
【００５９】
図４に示す中央制御装置１６は、データ伝送路１７と接続する通信インタフェース３１と、様々なデータを記憶管理する記憶部３２と、通信インタフェース３１を通じて内線電話機２の通信状態を監視する通信監視部３３と、この中央制御装置１６全体を制御する制御部３４とを有している。
【００６０】
通信インタフェース３１は、データ伝送路１７を通じてＰＣ６からのダウンロードデータを受信するデータ受信部３１Ａと、データ伝送路１７を通じて、例えば漢字電話機２Ｂ等の内線電話機２に対して電話帳データを配信するデータ配信部３１Ｂとを有している。
【００６１】
制御部３４は、通信監視部３３を通じて各内線電話機２の監視結果に基づき、同内線電話機２の使用状態を判定する使用状態判定部３４Ａと、電話帳データを内線電話機２に配信する配信タイミングを検出する配信タイミング検出部３４Ｂと、後述する端末リストを作成する端末リスト作成部３４Ｃとを有している。
【００６２】
尚、端末リストは、配信対象の内線電話機２の内、電話帳データの配信が現在可能な状態、すなわち未使用中の内線電話機２の内線番号を一覧にした配信可端末リストと、電話帳データの配信が現在不可能な状態、すなわち使用中の内線電話機２の内線番号を一覧にした配信不可端末リストとを有している。
【００６３】
記憶部３２は、ＰＢＸ５で収容接続する内線電話機２の内線番号及びグループ番号を対応付けて記憶管理する内線記憶部４１と、ＰＣ６からのダウンロードデータを一時記憶する一時記憶部４２と、ダウンロード結果等の履歴情報を記憶する履歴記憶部４３と、一時記憶部４２に記憶中のダウンロードデータの電話帳データ欄５１から電話帳データを抽出し、この抽出した電話帳データを記憶する電話帳記憶部４４と、一時記憶部４２に記憶中のダウンロードデータの配信時刻欄５５から配信時刻を抽出し、この配信時刻を記憶する配信時刻記憶部４５と、端末リスト作成部３４Ｃにて作成した端末リストを記憶する端末リスト記憶部４６とを有している。
【００６４】
電話帳記憶部４４は、ダウンロードデータの電話帳データ欄５１から電話帳データを抽出すると共に、ダウンロードデータのグループ番号欄５２からグループ番号（若しくは“グループ未設定”）を抽出し、これら電話帳データ及びグループ番号（若しくは“グループ未設定”）を対応付けて記憶管理するものである。
【００６５】
配信時刻記憶部４５は、ダウンロードデータの配信時刻欄５５から配信時刻（若しくは“配信時刻未設定”）を抽出すると共に、ダウンロードデータのグループ番号欄５２からグループ番号（若しくは“グループ未設定”）を抽出し、これら配信時刻（若しくは“配信時刻未設定”）及びグループ番号（若しくは“グループ未設定”）を対応付けて記憶管理するものである。
【００６６】
配信タイミング検出部３４Ｂは、配信時刻記憶部４５の記憶内容に基づき、使用状態判定部３４Ａの判定動作を開始するものであり、例えば現在時刻が配信時刻記憶部４５に記憶中の配信時刻に到達すると、同配信時刻のグループ番号（若しくは“グループ未設定”）の内線電話機２、すなわち配信対象の内線電話機２に対する使用状態判定部３４Ａの判定動作を開始するものである。
【００６７】
また、配信タイミング検出部３４Ｂは、配信時刻記憶部４５に“配信時刻未設定”が記憶されると、同“配信時刻未設定”とされたグループ番号（若しくは“グループ未設定”）の内線電話機２に対する使用状態判定部３４Ａの判定動作を開始するものである。
【００６８】
端末リスト作成部３４Ｃは、使用状態判定部３４にてグループ番号（若しくは“グループ未設定”）の内線電話機２毎に使用状態が未使用中であるか否かを判定し、使用状態が未使用中であると判定された内線電話機２の内線番号を一覧にした配信可端末リストを作成すると共に、使用状態が未使用中でないと判定された内線電話機２の内線番号を一覧にした配信不可端末リストを作成し、これら配信可端末リスト及び配信不可端末リストを端末リスト記憶部４６に記憶するものである。
【００６９】
制御部３４は、同グループ番号（若しくは“グループ未設定”）に対応した電話帳データを電話帳記憶部４４から読み出し、同電話帳データを、端末リスト記憶部４６に記憶中の配信可端末リスト内の内線番号に基づき、データ配信部３１Ｂを通じて同グループ（若しくは“グループ未設定”）の各内線電話機２に配信するものである。
【００７０】
図５は内線記憶部４１のテーブル内容の一例を示す説明図である。
【００７１】
図５に示す内線記憶部４１は、ＰＢＸ５が収容接続する内線電話機２毎の内線番号４１Ａと、同内線電話機２が所属するグループを識別するグループ番号４１Ｂとを対応付けて記憶管理し、例えば内線番号“１０１”、“１０２”、“１０３”、“１０４”及び“２０１”の内線電話機２は、グループ番号“１”に所属していることになる。
【００７２】
図６は漢字電話機２Ｂの盤面を示す説明図、図７は漢字電話機２Ｂ内部の概略構成を示すブロック図である。
【００７３】
図６に示す漢字電話機２Ｂは、送受話器６１と、様々な情報を画面表示する表示部６２と、ダイヤルボタン６３Ａ、音量調整ボタン６３Ｂ、保留ボタン６３Ｃやワンタッチボタン６３Ｄ等の操作部６３とを有している。
【００７４】
図７に示す漢字電話機２Ｂは、前述した表示部６２及び操作部６３の他に、漢字用ＬＩＮ１２との音声通信を司る音声インタフェース６４と、漢字用ＬＩＮ１２とのデータ通信を司るデータインタフェース６５と、送受話器６１の通話音声に音声処理を施す通話音声処理部６６と、データインタフェース６５を通じてＰＢＸ５の中央制御装置１６から配信された電話帳データを受信すると、この電話帳データを一時記憶する電話帳一時メモリ６７と、この電話帳一時メモリ６７に記憶された電話帳データを記憶する電話帳データメモリ６８と、この漢字電話機２Ｂ全体を制御する電話機側制御部６９とを有している。
【００７５】
漢字電話機２Ｂは、電話帳データメモリ６８に記憶中の電話帳データに基づき、相手先の電話番号の他に、同相手先の名前をカタカナはもちろんのこと、漢字で表示部６２に画面表示することになる。
【００７６】
尚、構内交換機はＰＢＸ５、電話機は内線電話機２(漢字電話機２Ｂ)、記憶手段は電話帳記憶部４４、監視手段は通信監視部３３、使用状態判定手段は使用状態判定部３４Ａ、配信手段はデータ配信部３１Ｂ及び制御部３４、配信開始信号出力手段は配信タイミング検出部３４Ｂ、配信時刻記憶手段及びグループ配信時刻記憶手段は配信時刻記憶部４５、未配信記憶手段は端末リスト作成部３４Ｃ及び端末リスト記憶部４６、記憶更新手段は制御部３４、設定端末装置はＰＣ６、電話帳データ作成手段は電話帳データ作成部２１、電話帳データ伝送手段は電話帳データ伝送部２２に相当するものである。
【００７７】
次に本実施の形態を示す構内交換システム１の動作について説明する。図８は本実施の形態の電話帳データダウンロード処理に関わるＰＢＸ５内の中央制御装置１６の処理動作を示すフロー図である。
【００７８】
図８に示す電話帳データダウンロード処理とは、ＰＣ６にて作成した新規の電話帳データを含むダウンロードデータをＰＢＸ５側の中央制御装置１６で受信し、この受信したダウンロードデータを中央制御装置１６内部の記憶部３２に記憶するまでの処理動作である。
【００７９】
図８において中央制御装置１６内の制御部３４は、データ受信部３１Ａを通じてＰＣ６からのデータロード要求コマンドを受信したか否かを判定する（ステップＳ１１）。尚、データロード要求コマンドは、ＰＣ６から中央制御装置１６に対して最新の電話帳データを含むダウンロードデータの受信を要求するコマンドに相当するものである。
【００８０】
制御部３４は、データロード要求コマンドを受信したと判定されると、記憶部３２内の一時記憶部４２内に空きエリアがあるか否かを判定する（ステップＳ１２）。
【００８１】
制御部３４は、一時記憶部４２内に空きエリアがあると判定されると、ダウンロードデータが新規データであるか否かを判定する（ステップＳ１３）。尚、ステップＳ１３の判定処理は、一時記憶部４２内に同一内容のダウンロードデータが重複記憶されてしまうような事態を未然に防止するための処理に相当し、例えばデータロード要求コマンドにダウンロードデータ内容を識別する識別子を付加し、一時記憶部４２に記憶済みのダウンロードデータの識別子５７とデータロード要求コマンドに含まれる識別子とを比較し、識別子が異なる場合は新規データであると判断するものである。
【００８２】
制御部３４は、ステップＳ１３にてダウンロードデータが新規データであると判定されると、ＰＣ６に対してダウンロードの開始を要求するロード開始コマンドを通知し（ステップＳ１４）、ＰＣ６からのダウンロードデータを受信記憶する、後述する図９に示すデータロード処理を実行することになる（ステップＳ１５）。尚、データロード処理は、ＰＣ６にて中央制御装置１６からのロード開始コマンドを検出すると、電話帳データを含むダウンロードデータを中央制御装置１６にダウンロード記憶する処理である。
【００８３】
制御部３４は、データロード処理を実行した後、一時記憶部４２に記憶中のダウンロードデータ内の電話帳データ欄５１及びグループ番号欄５２から電話帳データ及びグループ番号を抽出し、これら電話帳データ及びグループ番号を対応付けて電話帳記憶部４４に記憶すると共に、ダウンロードデータ内の配信時刻欄５５及びグループ番号欄５２から配信時刻及びグループ番号を抽出し、これら配信時刻及びグループ番号を対応付けて配信時刻記憶部４５に記憶し（ステップＳ１６）、そのダウンロードデータのロード結果を履歴記憶部４３に記憶更新し（ステップＳ１７）、この処理動作を終了する。
【００８４】
また、制御部３４は、ステップＳ１１にてデータロード要求コマンドを受信したのでなければ、この処理動作を終了する。
【００８５】
制御部３４は、ステップＳ１２にて一時記憶部４２内に空きエリアがないと判定されると、又はステップＳ１３にてダウンロードデータが新規データでないと判定されると、ＰＣ６からのダウンロード要求を拒絶すべく、エラー処理を実行し（ステップＳ１８）、このロード結果を履歴記憶部１６に記憶すべく、ステップＳ１７に移行する。尚、エラー処理とは、ＰＣ６に対して、ダウンロード要求を拒絶する拒絶コマンドを通知するものである。
【００８６】
次に図８に示すステップＳ１５のデータロード処理について説明する。図９はデータロード処理に関わるＰＣ６及びＰＢＸ５間の処理動作を端的に示す動作シーケンス図である。
【００８７】
図９に示すデータロード処理は、ＰＣ６にて作成した電話帳データを含むダウンロードデータをＰＢＸ５の中央制御装置１６にダウンロードし、このダウンロードデータを一時記憶部４２に順次記憶する処理である。
【００８８】
図９においてＰＢＸ５内の中央制御装置１６は、データロード処理の起動を検出すると、ロード開始コマンドをＰＣ６に通知する（ステップＳ２１）。
【００８９】
ＰＣ６は、ロード開始コマンドを検出すると、ダウンロードデータのヘッダに相当する、開始ＭＳＧ種別、グループ番号、コメント及び配信時刻のデータをＰＢＸ５の中央制御装置１６に伝送する（ステップＳ２２）。
【００９０】
中央制御装置１６は、データ受信部３１Ａを通じてＰＣ６からのデータを受信すると、このダウンロードデータを一時記憶部４２に順次記憶する（ステップＳ２３）。
【００９１】
さらに、ＰＣ６は、ヘッダに連続する複数の個別データを含む電話帳データをＰＢＸ５に伝送すべく、個別データ単位で順次伝送する(ステップＳ２４)。尚、個別データは、電話帳データ種別、ダイヤル、読み仮名、名前及びグループ番号を含むものとする。
【００９２】
中央制御装置１６は、データ受信部３１Ａを通じてＰＣ６からの個別データを順次受信すると、この個別データを一時記憶部４２に順次記憶する(ステップＳ２５)。
【００９３】
尚、ＰＣ６は、連続する個別データをＰＢＸ５内の中央制御装置１６に順次伝送し、ＰＢＸ５内の中央制御装置１６では、この順次受信した個別データを順次記憶する、これらステップＳ２４及び２５の処理動作を繰り返し継続するものである。
【００９４】
ＰＣ６は、全ての電話帳データの中央制御装置１６に対するダウンロードを完了すると、全ての電話帳データのデータロードが完了したことを示すロード終了コマンドを中央制御装置１６に通知し（ステップＳ２６）、同データロードの完了及び回線切断をＰＢＸ５側に報知すべく、ロード中止・回線切断コマンドを中央制御装置１６に通知することで（ステップＳ２７）、このデータロード処理を終了することになる。
【００９５】
従って、図８に示す電話帳データダウンロード処理及び図９に示すデータロード処理によれば、ＰＣ６から最新の電話帳データを含むダウンロードデータを受信すると、このダウンロードデータを一時記憶部４２に記憶し、この一時記憶したダウンロードデータ内の電話帳データ欄５１、グループ番号欄５２及び配信時刻欄５５から電話帳データ、グループ番号及び配信時刻を抽出し、この抽出した電話帳データ及びグループ番号と対応付けて電話帳記憶部４４に記憶すると共に、グループ番号及び配信時刻を対応付けて配信時刻記憶部４５に記憶するようにしたので、ＰＢＸ５の中央制御装置１６では、ＰＣ６にて作成した最新の電話帳データ及び配信時刻を記憶することができる。
【００９６】
次にＰＢＸ５側の電話帳データ配信処理について説明する。図１０は電話帳データ配信処理に関わる中央制御装置１６側の制御部３４の処理動作を示すフロー図である。
【００９７】
図１０に示す電話帳データ配信処理とは、電話帳記憶部４４に“グループ未設定”に対応した電話帳データが記憶されている場合、すなわち、グループ番号が指定されていない場合において、同電話帳記憶部４４に記憶中の最新の電話帳データを所定の配信タイミングで全内線電話機２に配信する処理である。
【００９８】
図１０において中央制御装置１６の制御部３４は、電話帳データを配信する配信時刻が設定済みであるか否かを判定する（ステップＳ３１）。尚、ステップＳ３１の処理は、配信時刻記憶部４５に記憶中の配信時刻が“配信時刻未設定”であるか否か、すなわち“配信時刻未設定”の場合は配信時刻が未設定であると判断するものである。
【００９９】
制御部３４は、電話帳データを配信する配信時刻が設定済みであると判定されると、現在時刻が配信時刻に到達したか否かを判定する（ステップＳ３２）。
【０１００】
制御部３４は、現在時刻が配信時刻に到達したと判定されると、内線記憶部４１に記憶中の内線番号に基づき、同配信対象の内線電話機２に対する使用状態が未使用状態であるか否かを判定する使用状態判定処理を実行する（ステップＳ３３）。尚、使用状態判定処理とは、通信監視部３３を通じて、配信対象の内線電話機２の使用状態を監視し、この監視結果に基づき、使用状態判定部３４Ａにて配信対象の内線電話機２毎の使用状態を判定するものである。
【０１０１】
制御部３４は、ステップＳ３３の使用状態判定部３４Ａの判定結果に基づき、同電話帳記憶部４４に記憶中の電話帳データの配信を可とする、使用状態が未使用中の内線電話機２の内線番号を一覧にした配信可端末リスト及び、電話帳データの配信を不可とする、使用状態が使用中の内線電話機２の内線番号を一覧にした配信不可端末リストを作成し、これら配信可端末リスト及び配信不可端末リストを端末リスト記憶部４６に記憶する（ステップＳ３４）。
【０１０２】
制御部３４は、“グループ未設定”に対応した電話帳データを電話帳記憶部４４から読み出し、データ配信部３１Ｂを通じて、同読み出した電話帳データを、端末リスト記憶部４６に記憶中の配信可端末リスト内の全内線電話機２に配信する電話帳データ配信処理を実行する (ステップＳ３５)。尚、電話帳データ配信処理とは、一回につき、例えば最大８台までの内線電話機２に対して同時配信するものである。
【０１０３】
制御部３４は、配信可端末リスト内の全内線電話機２に対する電話帳データ配信処理が完了したか否かを判定する(ステップＳ３６)。
【０１０４】
制御部３４は、配信可端末リスト内の全内線電話機２に対する電話帳データ配信処理が完了したのであれば、端末リスト記憶部４６に記憶中の配信不可端末リスト内の内線電話機２内に配信可能に移行した内線電話機２があるか否かを判定する(ステップＳ３７)。尚、ステップＳ３７では、配信不可端末リスト内の内線電話機２でも経時変化で使用状態が未使用状態に移行した場合もあるため、常に使用状態判定部３４Ａにて監視しているものとする。
【０１０５】
制御部３４は、ステップＳ３７にて配信不可端末リスト内の内線電話機２に配信可に移行した内線電話機２がないと判定されると、同配信不可端末リスト内に配信不可の内線電話機２があるか否かを判定する(ステップＳ３８)。尚、配信不可の内線電話機２は、配信不可端末リスト内にある内線番号で認識することができるものである。
【０１０６】
制御部３４は、ステップＳ３８にて配信不可の内線電話機２がないと判定されると、全ての配信対象の内線電話機２に対する最新の電話帳データの配信が完了したものと判断し、この配信結果を履歴情報として履歴記憶部４３に記憶する配信履歴記憶処理を実行し(ステップＳ３９)、この処理動作を終了する。
【０１０７】
制御部３４は、ステップＳ３１にて配信時刻の設定がない、すなわち“配信時刻未設定”と判定されたのであれば、配信対象の内線電話機２に対する使用状態を判定すべく、ステップＳ３３に移行する。尚、ステップＳ３１の“配信時刻未設定”と判定されるタイミングは、配信時刻記憶部４５に“配信時刻未設定”を記憶したタイミングに相当する。
【０１０８】
また、制御部３４は、ステップＳ３２にて現在時刻が配信時刻に到達していないと判定されると、この処理動作を終了するものである。
【０１０９】
また、制御部３４は、ステップＳ３７にて配信不可端末リスト内の内線番号に配信可に移行した内線電話機２があると判定されると、あらためて配信済みの内線電話機２以外の内線電話機２に対する使用状態を判定すべく、ステップＳ３３に移行し、ステップＳ３４及びステップＳ３５を経て、配信可になった内線電話機２への最新の電話帳データの配信動作を実行するものである。
【０１１０】
制御部３４は、ステップＳ３８にて配信不可端末リスト内に配信不可の内線電話機２があると判定されると、同内線電話機２の使用状態を監視し、同内線電話機２の使用状態が未使用状態になったタイミングで電話帳データの配信動作を開始する配信不可電話機監視処理を実行するものである(ステップＳ４０)。
【０１１１】
図１０に示す電話帳データ配信処理によれば、電話帳記憶部４４に“グループ未設定”に対応した電話帳データが記憶され、配信時刻記憶部４５に“グループ未設定”に対応した配信時刻が記憶されている場合においては、同配信時刻記憶部４５に記憶中の配信時刻に現在時刻が到達すると、配信対象の全内線電話機２の使用状態を判定し、使用状態が未使用状態の内線電話機２の内線番号を一覧化した配信可端末リストを作成し、同配信可端末リストの内線番号に基づき、電話帳記憶部４４に記憶中の同グループ未設定に対応した電話帳データを各内線電話機２に配信するようにしたので、ＰＢＸ５の中央制御装置１６では、配信時刻に到達すると、同電話帳記憶部４４に記憶中の電話帳データを配信対象の全内線電話機２に提供することができる。
【０１１２】
また、電話帳データ配信処理によれば、電話帳記憶部４４に“グループ未設定”に対応した電話帳データが記憶され、配信時刻記憶部４５に“グループ未設定”に対応した“配信時刻未設定”が記憶されている場合においては、同配信時刻記憶部４５に“配信時刻未設定”が記憶されると、配信対象の全内線電話機２の使用状態を判定し、使用状態が未使用状態の内線電話機２の内線番号を一覧化した配信可端末リストを作成し、同配信可端末リストの内線番号に基づき、電話帳記憶部４４に記憶中の同グループ未設定に対応した電話帳データを配信するようにしたので、ＰＢＸ５の中央制御装置１６では、“配信時刻未設定”が配信時刻記憶部４５に記憶されると、同電話帳記憶部４４に記憶中の電話帳データを配信対象の全内線電話機２に提供することができる。
【０１１３】
また、電話帳データ配信処理によれば、配信時刻記憶部４５に記憶中の配信時刻に現在時刻が到達すると、配信対象の全内線電話機２の使用状態を判定し、使用状態が使用中の内線電話機２の内線番号を一覧化した配信不可端末リストを作成し、同配信不可端末リスト内の内線電話機２の使用状態を常時監視し、同内線電話機２の使用状態が未使用状態に移行したタイミングで、電話帳記憶部４４に記憶中の同“グループ未設定”に対応した電話帳データを内線電話機２に配信するようにしたので、中央制御装置１６では、使用中のために電話帳データを配信することができなかった内線電話機２に対しても、最新の電話帳データを提供することができる。
【０１１４】
また、電話帳データ配信処理によれば、配信時刻記憶部４５に“配信時刻未設定”が記憶されると、すなわち、ＰＣ６からのダウンロードデータ内の“配信時刻未設定”を記憶するタイミングで、配信対象の全内線電話機２の使用状態を判定し、使用状態が使用中の内線電話機２の内線番号を一覧化した配信不可端末リストを作成し、同配信不可端末リスト内の内線電話機２の使用状態を常時監視し、同内線電話機２の使用状態が未使用状態に移行したタイミングで、電話帳記憶部４４に記憶中の同“グループ未設定”に対応した電話帳データを内線電話機２に配信するようにしたので、中央制御装置１６では、使用中のために電話帳データを配信することができなかった内線電話機２に対しても、最新の電話帳データを提供することができる。
【０１１５】
尚、図１０に示す電話帳データ配信処理においては、電話帳記憶部４４に“グループ未設定”に対応した電話帳データが記憶されている場合、すなわち、グループ単位に関係なく、配信対象の全内線電話機２に最新の電話帳データを配信する処理について説明したが、内線電話機２のグループ番号が指定された場合は、内線電話機２に対してグループ単位で最新の電話帳データを配信する電話帳データグループ配信処理を実行することになる。
【０１１６】
では、このような電話帳データグループ配信処理について説明する。図１１は電話帳データグループ配信処理に関わる中央制御装置１６の処理動作を示すフロー図である。
【０１１７】
図１１に示す電話帳データグループ配信処理は、内線電話機２のグループ単位で、電話帳記憶部４４に記憶中の同グループに対応した最新の電話帳データを所定の配信タイミングで同グループ内の各内線電話機２に配信する処理である。
【０１１８】
図１１において中央制御装置１６の制御部３４は、グループ配信時刻が設定済みであるか否かを判定する(ステップＳ５１)。尚、グループ配信時刻が設定済みであるか否かを判定する処理は、配信時刻記憶部４５に記憶中のグループ番号に対応した配信時刻（グループ配信時刻）があるか否かを判断するものである。
【０１１９】
制御部３４は、グループ配信時刻が設定済みであると判定されると、現在時刻がグループ配信時刻に到達したか否かを判定する(ステップＳ５２)。
【０１２０】
制御部３４は、現在時刻はグループ配信時刻に到達したと判定されると、同グループ配信時刻に関わる同グループ内の内線電話機２に対する使用状態が未使用状態であるか否かを判定する使用状態判定処理を実行する(ステップＳ５３)。尚、使用状態判定処理とは、通信監視部３３を通じて配信対象のグループ内の全内線電話機２の使用状態を監視し、この監視結果に基づき、使用状態判定部３４Ａにて配信対象のグループ内の内線電話機２毎の使用状態を判定するものである。
【０１２１】
制御部３４は、ステップＳ５３の使用状態判定部３４Ａの判定結果に基づき、電話帳データの配信を可とする内線電話機２の内線番号を一覧にしたグループ配信可端末リスト及び、電話帳データの配信を不可とする内線電話機２の内線番号を一覧にしたグループ配信不可端末リストを作成し、これらグループ配信可端末リスト及びグループ配信不可端末リストを端末リスト記憶部４６に記憶する(ステップＳ５４)。尚、グループ配信可端末リストは、使用状態判定部３４Ａにて現在の使用状態が未使用状態であると判定されたグループ内の内線電話機２の内線番号を端末リスト作成部３４Ｃにてリスト化したものである。グループ配信不可端末リストは、使用状態判定部３４Ａにて現在の使用状態が使用中であると判定されたグループ内の内線電話機２の内線番号を端末リスト作成部３４Ｂにてリスト化したものである。
【０１２２】
制御部３４は、ステップＳ５４にてグループ配信可端末リスト及びグループ配信不可端末リストを作成すると、配信対象のグループに対応した電話帳データを電話帳記憶部４４から読み出すと共に、データ配信部３１Ｂを通じて、同読み出した電話帳データを、端末リスト記憶部４６に記憶中のグループ配信可端末リスト内の全内線電話機２に配信する電話帳データ配信処理を実行する (ステップＳ５５)。
【０１２３】
制御部３４は、グループ配信可端末リスト内の同グループの全内線電話機２に対する電話帳データ配信処理が完了したか否かを判定する(ステップＳ５６)。
【０１２４】
制御部３４は、グループ配信可端末リスト内の全内線電話機２に対する電話帳データ配信処理が完了したのであれば、グループ配信不可端末リスト内の内線電話機２内に電話帳データの配信可能に移行した内線電話機２があるか否かを判定する(ステップＳ５７)。尚、ステップＳ５７では、グループ配信不可端末リスト内の内線電話機２でも経時変化で使用状態が未使用状態となった場合もあるため、常に使用状態判定部３４Ａにて監視している。
【０１２５】
制御部３４は、ステップＳ５７にてグループ配信不可端末リスト内の内線電話機２に配信可能に移行した内線電話機２がないと判定されると、配信不可の内線電話機２があるか否かを判定する(ステップＳ５８)。尚、配信不可の内線電話機２は、グループ配信不可端末リスト内にある内線番号で認識することができるものである。
【０１２６】
制御部３４は、ステップＳ５８にて配信不可の内線電話機２がないと判定されると、同グループ内の全ての配信対象の内線電話機２に対する最新の電話帳データの配信が完了したものと判断し、この配信結果を履歴情報として履歴記憶部４３に記憶し(ステップＳ５９)、この処理動作を終了する。
【０１２７】
制御部３４は、ステップＳ５１にてグループ配信時刻の設定がない、すなわち“配信時刻未設定”と判定されたのであれば、配信対象のグループ内の内線電話機２に対する使用状態を判定すべく、ステップＳ５３に移行する。尚、ステップＳ５１の“配信時刻未設定”と判定されるタイミングは、配信時刻記憶部４５に“配信時刻未設定”を記憶したタイミングに相当するものである。
【０１２８】
また、制御部３４は、ステップＳ５２にて現在時刻がグループ配信時刻に到達していないと判定されると、この処理動作を終了するものである。
【０１２９】
また、制御部３４は、ステップＳ５７にてグループ配信不可端末リスト内の内線番号に配信可に移行した内線電話機２があると判定されると、あらためて配信済みの内線電話機２以外の内線電話機２に対する使用状態を判定すべく、ステップＳ５３に移行し、ステップＳ５４及びステップＳ５５を経て、配信可になった内線電話機２への最新の電話帳データの配信動作を実行するものである。
【０１３０】
制御部３４は、ステップＳ５８にてグループ配信不可端末リスト内に配信不可の内線電話機２があると判定されると、同内線電話機２の使用状態を監視し、同内線電話機２の使用状態が未使用状態になったタイミングで電話帳データの配信動作を開始する配信不可電話機監視処理を実行するものである(ステップＳ６０)。
【０１３１】
図１１に示す電話帳データグループ配信処理によれば、電話帳記憶部４４に“グループ番号”に対応した電話帳データが記憶され、配信時刻記憶部４５に“グループ番号”に対応した配信時刻が記憶されている場合においては、同配信時刻記憶部４５に記憶中の配信時刻に現在時刻が到達すると、配信対象のグループ内の全内線電話機２の使用状態を判定し、使用状態が未使用状態の内線電話機２の内線番号を一覧化した配信可端末リストを作成し、同配信可端末リストの内線番号に基づき、電話帳記憶部４４に記憶中の同グループ番号に対応した電話帳データを各内線電話機２に配信するようにしたので、ＰＢＸ５の中央制御装置１６では、グループ単位で配信時刻に到達すると、同電話帳記憶部４４に記憶中の電話帳データを配信対象のグループ内の内線電話機２に提供することができる。
【０１３２】
また、電話帳データグループ配信処理によれば、電話帳記憶部４４に“グループ番号”に対応した電話帳データが記憶され、配信時刻記憶部４５に“グループ番号”に対応した“配信時刻未設定”が記憶されている場合においては、同配信時刻記憶部４５に“配信時刻未設定”が記憶されると、配信対象のグループ内の内線電話機２の使用状態を判定し、使用状態が未使用状態の内線電話機２の内線番号を一覧化した配信可端末リストを作成し、同配信可端末リストの内線番号に基づき、電話帳記憶部４４に記憶中の同グループ番号に対応した電話帳データを配信するようにしたので、ＰＢＸ５の中央制御装置１６では、“配信時刻未設定”が配信時刻記憶部４５に記憶されると、グループ単位で同電話帳記憶部４４に記憶中の電話帳データを配信対象のグループ内の内線電話機２に提供することができる。
【０１３３】
また、電話帳データグループ配信処理によれば、配信時刻記憶部４５に記憶中の配信時刻に現在時刻が到達すると、配信対象のグループ内の内線電話機２の使用状態を判定し、使用状態が使用中の内線電話機２の内線番号を一覧化した配信不可端末リストを作成し、同配信不可端末リスト内の内線電話機２の使用状態を常時監視し、同内線電話機２の使用状態が未使用状態に移行したタイミングで、電話帳記憶部４４に記憶中の同“グループ番号”に対応した電話帳データを内線電話機２に配信するようにしたので、中央制御装置１６では、使用中のために電話帳データを配信することができなかった内線電話機２に対しても、最新の電話帳データを提供することができる。
【０１３４】
また、電話帳データグループ配信処理によれば、配信時刻記憶部４５に“配信時刻未設定”が記憶されると、すなわち、ＰＣ６からのダウンロードデータ内の“配信時刻未設定”を記憶するタイミングで、配信対象のグループ内の内線電話機２の使用状態を判定し、使用状態が使用中の内線電話機２の内線番号を一覧化した配信不可端末リストを作成し、同配信不可端末リスト内の内線電話機２の使用状態を常時監視し、同内線電話機２の使用状態が未使用状態に移行したタイミングで、電話帳記憶部４４に記憶中の同“グループ未設定”に対応した電話帳データを内線電話機２に配信するようにしたので、中央制御装置１６では、使用中のために電話帳データを配信することができなかった内線電話機２に対しても、最新の電話帳データを提供することができる。
【０１３５】
本実施の形態によれば、電話帳記憶部４４に電話帳データ、さらに配信時刻記憶部４５に配信時刻を予め記憶しておき、配信時刻に到達すると、各内線電話機２の使用状態が未使用中であるか否かを判定し、この未使用中の内線電話機２に対して、記憶中の電話帳データを配信するようにしたので、使用中の内線電話機２の作業を中断させることなく、各内線電話機２に最新の電話帳データを提供することができる。
【０１３６】
本実施の形態によれば、電話帳記憶部４４にグループ毎の電話帳データを、さらに配信時刻記憶部４５にグループ毎の配信時刻を記憶しておき、グループ毎の配信時刻に到達すると、同グループの各内線電話機２の使用状態が未使用中であるか否かを判定し、この未使用中の内線電話機２に対して、同グループに対応した電話帳データを配信するようにしたので、使用中の内線電話機２の作業を中断させることなく、グループ単位で内線電話機２に最新の電話帳データを提供することができる。
【０１３７】
本実施の形態によれば、内線電話機２の使用状態が使用中の場合は電話帳データを配信せず、同内線電話機２の内線番号を配信不可端末リストに記憶しておき、同内線電話機２の使用状態が未使用となったタイミングで、同未使用になった内線電話機２に対して電話帳データを配信するようにしたので、使用中の内線電話機２に対しては電話帳データを配信しないため、使用中の内線電話機２に対しては電話帳データ配信による作業の中断を確実に防止することができ、さらには、使用中の内線電話機２が未使用状態に移行したタイミングで電話帳データを配信するため、全ての内線電話機２に対して最新の電話帳データを確実に配信することができる。
【０１３８】
本実施の形態によれば、ＰＣ６側にて電話帳データを作成し、この電話帳データをＰＢＸ５に伝送し、ＰＢＸ５内の中央制御装置１６にて電話帳データを受信すると、この電話帳データを電話帳記憶部４４に記憶更新するようにしたので、ＰＣ６では、ＰＢＸ５内の電話帳記憶部４４に記憶する電話帳データを遠隔で作成することができる。
【０１３９】
尚、上記実施の形態においては、電話帳記憶部４４に記憶中の電話帳データを、例えば多機能電話機２Ａや漢字電話機２Ｂ等の内線電話機２に配信するようにしたが、特に漢字等を含む電話帳データを電話機本体に記憶管理する必要がある漢字電話機２Ｂには特に有用であることは言うまでもない。
【産業上の利用可能性】
【０１４０】
本発明の構内交換機は、電話機毎に、同電話機の使用状態が未使用中であるか否かを判定し、電話機の使用状態が未使用中であると判定されると、この未使用中の電話機に対して、記憶中の電話帳データを配信するようにしたので、使用中の電話機の作業を中断させることなく、電話機に対して最新の電話帳データを提供することができ、例えば電話機自体に電話帳データを記憶管理する、例えば漢字電話機を収容接続する構内交換機に有用である。
【図面の簡単な説明】
【０１４１】
【図１】本発明の実施の形態を示す構内交換システム全体の概略構成を示すシステム構成図
【図２】本実施の形態に関わるＰＣからＰＢＸへのダウンロードデータのデータ構成を示す説明図
【図３】本実施の形態に関わる同ダウンロードデータ内の電話帳データの一例を示す説明図
【図４】本実施の形態に関わるＰＢＸの中央制御装置内部の概略構成を示すブロック図
【図５】本実施の形態に関わる中央制御装置の内線記憶部のテーブル内容の一例を示す説明図
【図６】本実施の形態に関わる漢字電話機の盤面を示す説明図
【図７】本実施の形態に関わる漢字電話機内部の概略構成を示すブロック図
【図８】本実施の形態の電話帳データダウンロード処理に関わる中央制御装置の処理動作を示すフロー図
【図９】本実施の形態のデータロード処理に関わるＰＣ及びＰＢＸ間の動作シーケンス図
【図１０】本実施の形態の電話帳データ配信処理に関わる中央制御装置の処理動作を示すフロー図
【図１１】本実施の形態の電話帳データグループ配信処理に関わる中央制御装置の処理動作を示すフロー図
【符号の説明】
【０１４２】
１  構内交換システム
２  内線電話機(電話機)
２Ｂ  漢字電話機（電話機）
５  構内交換機（ＰＢＸ）
６  設定端末装置（ＰＣ）
２１  電話帳データ作成部(電話帳データ作成手段)
２２  電話帳データ伝送部(電話帳データ伝送手段)
３１Ｂ  データ配信部(配信手段)
３３  通信監視部(監視手段)
３４  制御部(配信手段及び記憶更新手段)
３４Ａ  使用状態判定部(使用状態判定手段)
３４Ｂ  配信タイミング検出部（配信開始信号出力手段）
３４Ｃ  端末リスト作成部（未配信記憶手段）
４４  電話帳記憶部(記憶手段)
４５  配信時刻記憶部（配信時刻記憶手段及びグループ配信時刻記憶手段）
４６  端末リスト記憶部（未配信記憶手段）
【図１】
2006067312.tif 000003
【図２】
2006067312.tif 000004
【図３】
2006067312.tif 000005
【図４】
2006067312.tif 000006
【図５】
2006067312.tif 000007
【図６】
2006067312.tif 000008
【図７】
2006067312.tif 000009
【図８】
2006067312.tif 000010
【図９】
2006067312.tif 000011
【図１０】
2006067312.tif 000012
【図１１】
2006067312.tif 000013